(57)【特許請求の範囲】
【請求項１】
複数の用紙サイズ情報が記載された隣接する複数の情報表示部を有し、所望の情報表示部の背面側に他の情報表示部を折り畳み可能な情報表示体と、
前記情報表示体を挿入するためのポケット部及び挿入された情報表示体に記載された用紙サイズ情報を外部に示すための表示窓とを有する用紙トレーと、を有する事務機器装置であって、
前記情報表示部の各辺を下にしたときに情報表示部に記載された複数の用紙サイズ情報のうちのいずれかが正規の向きになるように記載されており、
前記表示窓は、前記情報表示体が前記ポケット部に挿入された状態で正規の向きになる用紙サイズ情報が選択的に外部に表示される位置に設けられ、
前記ポケット部は、幅方向に関して前記情報表示体を折り畳まれた状態の前記情報表示体が挿入可能な程度の幅とし、かつ、奥行き方向に関して折り畳まれた情報表示体の厚みより若干大きくなる部分と、前記ポケット部に対する情報表示体の挿入操作及び取出し操作を容易にするための広く開口する部分とを有する
ことを特徴とする事務機器装置。
【請求項２】
前記情報表示部は正方形状であって、前記複数の用紙サイズ情報のそれぞれは前記情報表示部の角部に９０度ずつ向きを変えて位置している
ことを特徴とする請求項１に記載の事務機器装置。
【請求項３】
前記ポケット部は、上方から前記情報表示体を挿入可能とした
ことを特徴とする請求項１または請求項２に記載の事務機器装置。
【請求項４】
前記情報表示部の各辺を下にしたときに、下になった辺に沿って位置する用紙サイズ情報が正規の向きになるように複数の用紙サイズ情報が前記情報表示体に記載されている
ことを特徴とする請求項１乃至３のいずれか一項に記載の事務機器装置。
【請求項５】
前記用紙サイズ情報は、ＡＢ系列と数字との組合わせからなる
ことを特徴とする請求項１乃至４のいずれか一項に記載の事務機器装置。
【発明の詳細な説明】
【０００１】
【発明の属する技術分野】
本発明は、複写機やプリンタ等の事務用機器に関する。
【０００２】
【従来の技術】
サイズの異なる複数の用紙を選択使用する複写機、ファクシミリ、プリンタ等の事務用機器には、引出し式の用紙トレ−が多段配置されている。
【０００３】
上記用紙トレ−は、複数の用紙サイズに対応し得るように構成されている。したがって、現時点においてどのようなサイズの用紙が収容されているかを外部に表示する必要があり、このため、図２９に示すように、トレ−１の前面の所定位置に用紙サイズを示す記号を記載したラベル２を貼着するという用紙サイズ表示手法が実施されている。
【０００４】
しかし、この手法では、用紙のサイズ変更の度に上記ラベル２の貼り換え操作を実施しなければならないので、オペレータの負担が大きくなり、また、一度剥がしたラベル２を再利用することができないという無駄を伴う。加えて、常に新しいラベルを用意しておかなければならないという不便があり、しかも、用意しておいたラベルが紛失して、上記用紙のサイズ変更に即応できなくなる虞れもある。
【０００５】
そこで、図３０に示すように、周面に複数の用紙サイズ記号を記載した多角筒状の情報表示体３をトレ−１に設けたポケット部４に挿入し、この表示体３に記された用紙サイズ記号を上記ポケット部４の側方に開口する表示窓５を介して外部に表示するという用紙サイズ表示手法が提案されている。
【０００６】
なお、用紙サイズを表示する技術として、特公昭６０−２６２７３４号や特公平３−８３７２９号等の手段が知られている。
【０００７】
また、複数の情報等の印刷物を多層ラベルの構成としたものは、実用新案登録第３００７２４９号等が知られている。
【０００８】
【発明が解決しようとする課題】
上記情報表示体３を用いる手法によれば、該表示体３の回転操作によって収容用紙のサイズ変更に対応することができるという利便が得られるものの、上記表示体３の構造が複雑であるのでその加工に費用を要する。
【０００９】
また、情報表示体３の形状が大きいので、該表示体３を収容するための大容積のポケット部４を形成しなければならず、このため、トレー１の形状が大きくなるという不都合がある。
【００１０】
更に、トレー１の出入れ操作に伴う振動によって情報表示体３がポケット部４から離脱する虞れもある。
【００１１】
本発明の目的は、かかる状況に鑑み、情報表示体の向きを変えてポケット部に挿入することによって、用紙サイズの表示を簡単な操作で変更することが可能な事務機器装置を提供することにある。
【００１２】
【課題を解決するための手段】
本発明は、複数の用紙サイズ情報が記載された隣接する複数の情報表示部を有し、所望の情報表示部の背面側に他の情報表示部を折り畳み可能な情報表示体と、情報表示体を挿入するためのポケット部及び挿入された情報表示体に記載された用紙サイズ情報を外部に示すための表示窓とを有する用紙トレーと、を有する事務機器装置であって、情報表示部の各辺を下にしたときに情報表示部に記載された複数の用紙サイズ情報のうちのいずれかが正規の向きになるように記載されており、表示窓は、情報表示体がポケット部に挿入された状態で正規の向きになる用紙サイズ情報が選択的に外部に表示される位置に設けられ、ポケット部は、幅方向に関して情報表示体を折り畳まれた状態の情報表示体が挿入可能な程度の幅とし、かつ、奥行き方向に関して折り畳まれた情報表示体の厚みより若干大きくなる部分と、ポケット部に対する情報表示体の挿入操作及び取出し操作を容易にするための広く開口する部分とを有することを特徴とする。
【００１３】
【発明の実施の形態】
図１および図２は、折り畳み可能な板材で形成された本発明に係る情報表示部材１０の表面および裏面をそれぞれ示している。
【００１４】
この情報表示部材１０は、中央部に位置した情報表示部１１の一方および他方の長辺に情報表示部１２および１３をそれぞれ連接し、該表示部１１の一方および他方の短辺に情報表示部１４および１５をそれぞれ連接した構成を有する。
【００１５】
上記方形状の各情報表示部１１〜１５は、その表面および裏面に用紙のサイズを示す情報をそれぞれ記載してある。
【００１６】
上記各情報表示部１１〜１５に記載の用紙サイズ情報は互いに相違しており、それぞれ印刷等の手段によって記載されている。
【００１７】
上記情報表示部材１０の材料としては、紙、合成樹脂、またはそれらの混合物が使用されるが、紙を使用する場合には、必要に応じて上記用紙サイズ情報の記載後に該表示部材１０の表裏にビニールコーティングを施して耐久性を向上させる。
【００１８】
上記各情報表示部１１〜１５の内、折目線１７で囲まれた中央部の情報表示部１１は、ライン１６で示した表示範囲の周囲に幅Ｌ１の余白を有している。これに対して、情報表示部１２，１３および情報表示部１４，１５は、情報表示部１１に連接する側に幅Ｌ１の余白を有するものの、他の側の余白の幅Ｌ２が上記余白幅Ｌ１よりも小さい。つまり、情報表示部１１は、その短辺および長辺がいずれも情報表示部１２〜１５のそれよりも大きい。
【００１９】
上記構成を有した情報表示部材１０は、表示を必要とする用紙サイズ情報が記載された情報表示部の背面側に他の情報表示部を折畳んで使用する。
【００２０】
すなわち、例えば、表示を必要とする用紙サイズ記号がＡ４である場合には、図３に示すように、この記号Ａ４が記載された表示部１１の背面側に他の表示部１２〜１５を前記折目線１７に沿って折畳み、これによって、図４に例示するような札状の情報表示体１８を形成する。
【００２１】
なお、上記情報表示体１８は、表示部１２〜１５を表示部１３→表示部１２→表示部１４→表示部１５という順序で折畳むことにより形成しているが、表示部１２〜１５をこれとは異なる順序で折畳んでも、表示部１１を表示面とする同様の情報表示体を形成することができる。つまり、上記表示部１２〜１５の折畳み順序は任意である。
【００２２】
図１から明らかなように、表示部１３の短辺幅は、表示部１１のそれよりもＬ１−Ｌ２だけ短く、したがって、図４のＡ−Ａ断面図である図５に示すように、折畳まれた表示部１３の上端は表示部１１の上端からＬ１−Ｌ２だけ手前に位置することになる。
【００２３】
表示部１３の上端が表示部１１の上端に重なっていると、表示部１２が表示部１３の上端面を乗り越える態様で折り曲げられることになるので、該表示部１２を前記折目線１７に沿って折曲げることが困難になり、また、折曲げに要する労力も大きくなる。しかし、上記のように、表示部１３の上端が表示部１１の上端の手前に位置されれば、表示部１２を前記折目線１７に沿って容易に折畳むことができる。
【００２４】
一方、図１に示したように、表示部１２，１３の左右の短辺は、それぞれ表示部１１の左右の短辺からＬ１−Ｌ２だけ内方側に位置している。したがって、図４のＢ−Ｂ断面図である図６に示すように、折畳まれた表示部１２，１３の右端および左端は表示部１１の右端および左端からそれぞれＬ１−Ｌ２だけ手前に位置することになる。
【００２５】
それゆえ、表示部１４を前記折目線１７に沿って容易に折畳むことができ、しかも、該表示部１４の長辺が表示部１１のそれよりもＬ１−Ｌ２だけ短いことから、表示部１５も前記折目線１７に沿って容易に折畳むことができる。
【００２６】
なお、上記情報表示部材１０によって構成される情報表示体１８では、その表面の情報表示部材と最後に折り畳まれた裏面の情報表示体との間に三枚の情報表示部が介在することになる。
【００２７】
そこで、上記余白幅Ｌ１は、上記最後に折り畳まれる表示体の折畳み操作をも容易かつ円滑に行ない得るように設定され、この実施形態では、余白幅差Ｌ１−Ｌ２が情報表示部材１０の厚みの２〜３倍程度となるように余白幅Ｌ１を設定している。
【００２８】
図７は、複数の引き出し式の用紙トレー２０を下方に多段配置した事務用機器２１（複写機、ファクシミリ等）を示している。
【００２９】
図８に示すように、上記用紙トレー２０の前方右端部には、該トレー２０の上面に開口するポケット部２２が形成されている。このポケット部２２は、図４に示した表示体１８を収納し得る大きさを持ち、かつ、トレー２０の前面に開口する表示窓２２ａをその外側方に形成してある。
【００３０】
上記表示窓２２ａは、前記表示範囲を示すライン１６に合致するように形成されている。したがって、上記情報表示体１８をトレー２０のポケット部２２に挿入すれば、用紙サイズを示すＡ４という記号が上記表示窓２２ａを介して表示され、これにより、トレー２０にＡ４版の用紙が収納されていることを該トレー２０の前方から視認することができる。
【００３１】
なお、上記情報表示部材１０によれば、情報表示部１１〜１５の折畳み態様を変えることにより、情報表示体３４の表面に合計１０種の用紙サイズ情報を選択表示させることができる。
【００３２】
ところで、上記情報表示体１８は、折畳まれた表示部１２〜１５がその弾性に基づく反力によって元の状態に戻ろうとする。一方、上記ポケット部２２の奥行き方向の幅は、情報表示体１８の厚みよりも若干大きくなるように設定されている。
【００３３】
それゆえ、情報表示体１８は、上記反力をポケット部２２の内面に作用させて該ポケット部２２に圧接嵌合することになり、その結果、トレー２０がその出し入れ操作に伴って大きく振動したとしても、上記情報表示体１８の位置ずれやポケット部２２からの抜出しが確実に防止される。
【００３４】
なお、上記ポケット部２２の開口縁部の窪み２２ｂは、該ポケット部２２に対する情報表示体１８の挿入操作および取出し操作を容易にするために設けたのものである。
【００３５】
図９は、別の情報表示部材３０を示している。この情報表示部材３０は、相互の長辺を連接した同一形状の２つの情報表示部３１，３２を備えており、両者の境界に位置した折り目線３３に沿って折畳むことにより図１０に示すような情報表示体３４を構成することができる。
【００３６】
この情報表示体３４は、図８に示したようなポケット部２２に挿入されるが、そのさい、折畳まれた表示部３２の弾性反力の作用で位置ずれやポケット部２２からの抜出しが防止される。
【００３７】
上記情報表示部材３０も、情報表示部３１，３２の表裏に用紙サイズ情報を記載してあり、したがって、該情報表示部３１，３２の折畳み態様を変えることにより、情報表示体３４の表面に合計４種の用紙サイズ情報を選択表示させることができる。
【００３８】
図１１に示す情報表示部材４０は、情報表示部４１の一方および他方の長辺に情報表示部４２および４３の長辺をそれぞれ連接した構成を有する。
【００３９】
上記情報表示部４１は、双方の長辺側に幅Ｌ３（＞Ｌ２）の余白を形成してあるが、情報表示部４２および４３は、その連接長辺側のみに幅Ｌ３の余白を有する。したがって、情報表示部４１の短辺は、情報表示部４２，４３の短辺よりもＬ３−Ｌ２だけ大きい。
【００４０】
図１２に示す情報表示部材５０は、情報表示部５１の一方および他方の短辺に情報表示部５２および５３の短辺をそれぞれ連接した構成を有する。
【００４１】
上記情報表示部５１は、双方の短辺側に幅Ｌ４（＞Ｌ２）の余白を形成してあるが、情報表示部５２および５３は、その連接短辺側のみに幅Ｌ４の余白を有する。それ故、情報表示部５１の長辺は、情報表示部５２，５３の長辺よりもＬ４−Ｌ２だけ大きい。
【００４２】
また、図１３に示す情報表示部材６０は、情報表示部６１の一方および他方の短辺に情報表示部６２および６３の短辺をそれぞれ連接するとともに、表示部６１の一方の長辺に情報表示部６４の長辺を連接した構成を有している。
【００４３】
上記情報表示部６１は、双方の短辺側と一方の長辺側に幅Ｌ５（＞Ｌ２）の余白を形成してあるが、情報表示部６２，６３は連接短辺側にのみに、また、情報表示部６４は連接長辺側のみに幅Ｌ５の余白を形成してある。したがって、情報表示部６１の長辺は、情報表示部６２，６３および６４の長辺よりも大きい。
【００４４】
更に、図１４に示す情報表示部材７０は、情報表示部７１の一方および他方の長辺に情報表示部７２および７３の一方の長辺をそれぞれ連接するとともに、情報表示部７２および７３の他方の長辺に情報表示部７４および７５の長辺をそれぞれ連接した構成を有する。
【００４５】
情報表示部７１，７２（情報表示部７１，７３）は、互いの連接部位にそれぞれ幅Ｌ６（＞Ｌ２）の余白を有し、また、情報表示部７２，７４（情報表示部７３，７５）は、互いの連接部位にそれぞれ幅Ｌ７（＞Ｌ２，＜Ｌ６）の余白を有する。
【００４６】
したがって、情報表示部７１の短辺長は、情報表示部７２，７３の短辺長よりもＬ６−Ｌ７だけ大きく、また、情報表示部７２，７３の短辺長は、情報表示部７４，７５の短辺長よりもＬ７−Ｌ２だけ大きい。
【００４７】
図１５に示す情報表示部材８０は、図１４の情報表示部７１〜７５に対応する情報表示部８１〜８５と、情報表示部８２の一方および他方の短辺にそれぞれの短辺を連接した情報表示部８６，８７と、情報表示部８３の一方および他方の短辺にそれぞれの短辺を連接した情報表示部８８，８９とを備えている。
【００４８】
情報表示部８１，８２（情報表示部８１，８３）は、互いの連接部位にそれぞれ幅Ｌ８（＞Ｌ２）の余白を有し、また、情報表示部８２，８４（情報表示部８３，８５）は、互いの連接部位にそれぞれ幅Ｌ９（＞Ｌ２，＜Ｌ８）の余白を有する。そして、情報表示部８２，８６（情報表示部８２，８７）は、互いの連接部位にそれぞれ幅Ｌ９の余白を有し、さらに、情報表示部８３，８８（情報表示部８３，８９）は、互いの連接部位にそれぞれ幅Ｌ９の余白を有する。
【００４９】
したがって、情報表示部８１の短辺は情報表示部８２，８３の短辺よりもＬ８−Ｌ９だけ大きく、また、情報表示部８２，８３の短辺は、情報表示部８４，８５の短辺よりも大きＬ９−Ｌ２だけ大きい。そして、情報表示部８２（８３）の長辺は、情報表示部８６，８７（情報表示部８８，８９）の長辺よりＬ９−Ｌ２だけ大きく、かつ、情報表示部８２，８３の長辺は、情報表示部８１，８４および８５の長辺より２（Ｌ９−Ｌ２）だけ大きい。
【００５０】
上記構成の情報表示部材４０，５０，６０，７０および８０は、それぞれの折り目線線４４，５４，６５，７６および９０に沿って折畳むことにより、図４に示した情報表示体１８に準じた構成および機能をもつ情報表示体（図示せず）を構成することができる。
【００５１】
ところで、図１１および図１２に示す情報表示部材４０および５０は、情報表示体を構成した場合の情報表示部の重ね合わせ数が共に３である。つまり、情報表示体の表面の情報表示部と裏面の情報表示部との間における表示部の介在数が１である。
【００５２】
したがって、情報表示部材４０および５０における余白幅Ｌ３およびＬ４は、上記介在枚数が３である図１の情報表示部材１０の余白幅Ｌ１よりも小さく設定される。すなわち、余白幅Ｌ３，Ｌ４は、例えば、余白幅差Ｌ３−Ｌ２（Ｌ４−Ｌ２）が表示体４０（５０）の厚みの１〜２倍程度となるように設定される。
【００５３】
また、図１３に示す情報表示部材６０は、上記介在数が２であるから、その余白幅Ｌ５が上記余白幅Ｌ３と同等の大きさもしくはそれ以上に設定される。
【００５４】
なお、図１４に示す情報表示部材７０の余白幅Ｌ６，Ｌ７および図１５に示す情報表示部材７０の余白幅Ｌ８，Ｌ９も、それぞれ情報表示部材７０，８０の厚みや情報表示部の数等を勘案して、各情報表示部の折畳み操作が容易かつ円滑に行い得るようにその大きさを適宜設定する。
【００５５】
つぎに、図１６に示す情報表示部材１００について説明する。この情報表示部材１００は、情報表示部１０１の各長辺に情報表示部１０２および１０３の長辺をそれぞれ連接した構成を有し、各情報表示部１０１．１０２および１０３の表裏面における各短辺側端部に、互いに異なる内容の一対の用紙サイズ情報をそれぞれ記載してある。
【００５６】
なお、情報表示部１０１の各短辺側端部に記載の用紙サイズ情報は、それぞれ該当する短辺を下にしたときに正規の向きとなるようにその向きが設定されており、他の情報表示部１０２，１０３に記載の一対の用紙サイズ情報の向きも同様に設定されている。
【００５７】
上記情報表示部１０１は、双方の長辺側に幅Ｌ１０（＞Ｌ２）の余白を有するが、情報表示部１０２および１０３は、その連接長辺側のみに幅Ｌ１０の余白を有する。それ故、情報表示部１０１の短辺は、情報表示部１０２，１０３の短辺よりもＬ１０−Ｌ２だけ大きい。
【００５８】
上記情報表示部材１００は、上記各情報表示部１０１〜１０３の境界部位に設けた折り目線１０４に沿って折畳むことにより、図１７に例示したような情報表示体１０５を構成することができる。
【００５９】
図１７に示す用紙トレー２０′は、上記表示体１０５を挿入するためのポケット部２２′を有している。上記表示体１０５は、図８に示した表示体１８よりも縦長であるので、上記ポケット部２２′は前記ポケット部２２よりも深く形成されており、また、その表示窓２２ａ′も前記ポケット部２２の表示窓２２ａより下方に位置されている。
【００６０】
図１７に示す情報表示体１０５は、表面にＡ３という用紙サイズ情報とＡ４という用紙サイズ情報が記されているので、図示の姿勢でポケット部２２′に挿入すればＡ３という情報が、また、上下を転換した姿勢でポケット部２２′に挿入すればＡ４という情報がそれぞれ表示窓２２ａ′を介して外部に表示されることになる。
【００６１】
上記情報表示部材１００によれば、折畳みの態様の変化と、情報表示体１０５の挿入姿勢の転換操作とによって合計１２種の用紙サイズ情報を選択表示することができる。
【００６２】
もちろん、この情報表示体１０５においても、折畳まれた情報表示部１０２，１０３の弾性反力をポケット部２２′の内面に作用させることができるので、該ポケット部２２′内における表示体１０５の位置ずれや、ポケット部２２ａからの表示体１０５の抜出しが効果的に防止される。
【００６３】
なお、上記余白幅Ｌ１０は、情報表示部材１００の折畳み操作を容易かつ円滑に行い得るように設定され、例えば、余白差Ｌ１０−Ｌ２が表示体１００の厚みの１〜２倍程度となるように設定される。また、上記ポケット部２２ａ′の開口縁部には、図８に示した窪み２２ｂに対応する窪み２２ｂ′形成されている。
【００６４】
上記ポケット部２２′に挿入する情報表示体は、図１８、図１９および図２０に例示するような情報表示部材１１０，１２０および１３０によって構成することも可能である。
【００６５】
情報表示部材１１０は、情報表示部１１１，１１２の長辺相互を連接した構成を有し、上記情報表示部材１００と同様に、各情報表示部１１１，１１２の表裏に一対の用紙サイズ情報（図示せず）をそれぞれ記載してある。
【００６６】
この情報表示部材１１０は、情報表示部１１１，１１２の境界位置に設けた折り目線１１３に沿って折畳むことにより、これらの情報表示部１１１，１１２の表裏面のいずれかを表示面とする情報表示体（図示せず）を構成することができる。
【００６７】
一方、情報表示部材１２０は、情報表示部１２１の各長辺に情報表示部１２２および１２３の長辺をそれぞれ連接するとともに、情報表示部１２１の一方の短辺に情報表示部１２４の短辺を連接した構成を有する。
【００６８】
上記情報表示部１２１は、双方の長辺側と一方の短辺側に幅Ｌ１１（＞Ｌ２）の余白を形成してあるが、情報表示部１２２，１２３は連接長辺側のみに、また情報表示部１２４は連接短辺側のみにそれぞれ幅Ｌ１１の余白を形成してある。したがって、情報表示部１２１の短辺は、情報表示部１２２，１２３および１２４の短辺よりも大きい。
【００６９】
更に、図２０に示した情報表示部材１３０は、情報表示部１３１の一方および他方の長辺に情報表示部１３２および１３３をそれぞれ連接し、該表示部１３１の一方および他方の短辺に情報表示部１３４および１３５の短辺をそれぞれ連接した構成を有する。
【００７０】
上記情報表示部１３１は、双方の短辺および双方の長辺に幅Ｌ１２の余白を有しているが、情報表示部１３２，１３３は連接長辺側のみに、また、情報表示部１３４，１３５は連接短辺側のみにそれぞれ幅Ｌ１２の余白を有する。それ故、情報表示部１３１の短辺および長辺は、それぞれ情報表示部１３２〜１３５の短辺および長辺より大きい。
【００７１】
上記構成の情報表示部材１２０，１３０は、それぞれ折り目線１２５，１３６に沿って折畳むことにより、図１７に示した情報表示体１０５に準じた構成および機能をもつ情報表示体（図示せず）を構成することができる。
【００７２】
なお、情報表示部材１２０の余白幅Ｌ１１および情報表示部材１３０の余白幅Ｌ１２の大きさは、それぞれ情報表示部材１２０，１３０の厚みや情報表示部の数等を勘案して設定する。つまり、各情報表示部の折畳み操作が容易かつ円滑に行い得るようにその大きさを設定する。
【００７３】
図２１は、更に別の情報表示部材１４０を示している。この情報表示部材１４０は、正方形状の情報表示部１４１の左右の辺に情報表示部１４２および１４３の辺をそれぞれ連接した構成を有し、各情報表示部１４１〜１４３の表裏面に４種の用紙サイズ情報をそれぞれ記載してある。
【００７４】
情報表示部１４１に記載の各用紙サイズ情報は、それぞれ該表示部１４１の角部に位置しており、該当する辺を下にしたときに正規の向きとなるようにその向きが設定されている。他の情報表示部１４２，１４３に記載の各用紙サイズ情報の位置および向きも同様である。
【００７５】
上記情報表示部１４１は、左右の辺側に幅Ｌ１３（＞Ｌ２）の余白をそれぞれ形成してあるが、情報表示部１４２，１４３は連接辺側のみに幅Ｌ１３の余白を形成してある。したがって、情報表示部１４１の辺は、該辺の延長線上に位置する情報表示部１４２，１４３の辺よりもＬ１３−Ｌ２だけ長い。
【００７６】
上記情報表示部材１４０は、上記各情報表示部１４１〜１４３の境界部位に設けた折り目線１４４に沿って折畳むことにより、図２２に例示したような情報表示体１４５を構成することができるが、上記辺差Ｌ１５−Ｌ２を設定してあることから、上記折畳み操作を容易かつ円滑に行うことができる。
【００７７】
図２２に示す用紙トレー２００は、上記情報表示体１４５を挿入するためのポケット部２２０を有しており、このポケット部２２０に上記情報表示体１４５を図示の姿勢で挿入すれば、Ａ４という用紙サイズ情報が表示窓２２０ａを介して外部に表示されることになる。そして、表示体１４５は、表示部１４２，１４３の弾性反力によってポケット部２２０に安定に保持される。
【００７８】
なお、Ａ４というサイズ情報以外の情報を表示窓２２０ａに位置させる場合には、ポケット部２２０に対する表示体１４５の挿入方向を変化させれば良い。すなわち、例えば、Ａ５という情報を表示する場合には、表示体１４５を上記姿勢から時計回り方向に９０度回転してポケット部２２０に挿入すれば良い。
【００７９】
図２３は、三角形状の情報表示部材１５０を示している。この情報表示部材１５０は、正三角形状を持つ情報表示部１５１の各辺に正三角形状の情報表示部１５２，１５３および１５４をそれぞれ連接した構成を有し、各情報表示部１５１〜１５４の表裏面に３種の用紙サイズ情報をそれぞれ記載してある。
【００８０】
情報表示部１５１に記載の各用紙サイズ情報は、該当する辺を下にしたときに正規の向きとなる態様でその辺に隣接して位置しており、他の情報表示部１５２〜１５４に記載の各用紙サイズ情報の位置および向きも同様である。
【００８１】
上記情報表示部材１５０は、上記各情報表示部１５１〜１５４の境界部位に設けた折り目線１５５に沿って折畳むことにより、図２４に例示したような情報表示体１５６を構成することができる。
【００８２】
なお、上記表示部１５１の面積は表示部１５２〜１５４のそれよりも大きく設定されているので、これらの表示部１５２〜１５４を折畳んだ場合、それらの端縁が表示部１５１の端縁の内方に位置することになり、したがって、情報表示体１５６を構成するための折畳み操作は容易かつ円滑に行うことができる。
【００８３】
図２５に示した情報表示部材１６０は、五角形状の情報表示部１６１の各辺に五角形状の情報表示部１６２〜１６６をそれぞれ連接した構成を有しており、各情報表示部１６１〜１６６の表裏面に五種の用紙サイズ情報をそれぞれ記載してある。
【００８４】
情報表示部１６１に記載の各用紙サイズ情報は、該当する辺を下にしたときに正規の向きとなる態様で該辺に隣接して位置しており、他の情報表示部１６２〜１６６に記載の各用紙サイズ情報も同様である。
【００８５】
上記情報表示部材１６０は、上記各情報表示部１６１〜１６６の境界部位に設けた折り目線１６７に沿って折畳むことにより、図２６に例示したような情報表示体１６８を構成することができるが、上記表示部１６１の面積が他の表示部１６２〜１６６のそれよりも大きく設定されていることから、その折畳み操作は容易である。
【００８６】
上記情報表示体１６８および前記情報表示体１５６は、図１７に示したポケット部２２′に準じた構成のポケット部（図示せず）に挿入される。その際、ポケット部に対する挿入方向を変化させることによって、表面に現れている複数のサイズ情報の内の１つを該ポケット部の表示窓の部位に選択的に位置させることができ、また、各情報表示部の弾性反力によって上記ポケット部に安定に保持される。
【００８７】
図示していないが、情報表示数を更に増加するために、六角以上の多角形状の情報表示部の各辺に同形状の情報表示部をそれぞれ連接した情報表示部材を構成することも可能である。
【００８８】
なお、前記した各情報表示部材１０，３０〜８０，１００〜１６０において、用紙サイズ情報を記載しない白紙部分を設けることも可能であり、かくすれば、この白紙部分に使用者の希望する任意の表示情報を追加記載することができるという利便が得られる。
【００８９】
ところで、図２７に示すように、前記事務用機器２１は、開閉可能な蓋部２３を上部前方に備えており、従来は、この扉２３の背面（上面）に機械内部等の操作を説明するための文や絵を記載したラベルを貼着している。
【００９０】
上記ラベルには、上記説明文等を事務用機器２１の輸出先の言語で記載する必要がある。このため、個々の輸出先の事務用機器２１に記載言語の異なるラベルを貼着して、ある輸出先向けのラベルを貼着した事務用機器２１と、別の輸出先向けのラベルを貼着した事務用機器２１とを別々に管理するようにしているが、このような管理方法は面倒である。
【００９１】
図２８は、このような面倒な管理を不要にすることができる情報表示部材１７０を例示している。この情報表示部材１７０は、情報表示部１７１の各短辺に情報表示部１７２および１７３の短辺をそれぞれ連接した構成を有し、各情報表示部１７１，１７２および１７３の表裏面には、それぞれ異なる言語で記載した操作説明文等を記載してある。
【００９２】
上記情報表示部１７１の長辺長Ｌ１４は、情報表示部１７２および１７３の長辺長Ｌ１５よりも大きく設定してあるが、これは前記した情報表示部材１００等と同様に、各情報表示部１７１〜１７３の折畳み操作を容易かつ円滑に行うためである。
【００９３】
上記情報表示部材１７０は、上記各情報表示部１７１〜１７３の境界部位に設けた折り目線１７４に沿って折畳むことにより、図２７に例示したような情報表示体１７５を構成することができる。
【００９４】
図２７に示すように、前記蓋部２３の上面には、上記表示札１７５を挿入するためのポケット部２４を該上面に沿う態様で設けてある。このポケット部２４は、上記表示札１７５を収納し得る大きさを持ち、その前方側もしくは側方側に挿入口を備えるとともに、その外側方に表示窓２４ａを形成してある。
【００９５】
したがって、ポケット部１４５に上記情報表示体１７５を挿入すれば、該表示札１７５の表面に記載の上記操作説明文等を表示窓２４ａを介して外部に表示することができる。
【００９６】
上記情報表示部材１７０によれば、表示部１７１，１７２および１７３の表裏に記載された６種の異種言語の操作説明文等を情報表示体１７５の表面に選択表示することができる。
【００９７】
そこで、事務用機器２１の出荷時に、輸出先に適合する言語の情報を選択表示した情報表示体１７５を上記ポケット部２４に挿入するようにすれば、上記事務用機器２１を輸出先毎に管理する手間が不要になる。
【００９８】
上記情報表示体１７５によれば、折畳まれた情報表示部１７１〜１７３の弾性反力がポケット部２４の内面に作用するので、開閉に伴って蓋部２３が振動しても、ポケット部２４内における表示札１７５の位置ずれや、該ポケット部２４からの表示札１７５の抜出しが防止される。
【００９９】
なお、上記においては、３つの表示部１７１，１７２および１７３を備えた情報表示部材１７０を使用しているが、該表示体１７０に代えて、例えば、上記表示部１７１〜１７３と同一形状の情報表示部材を図１８〜図２０に示す態様で配列した情報表示部材を適用することも可能である。
【０１００】
【発明の効果】
本発明によれば、情報表示体の向きを変えてポケット部に挿入することによって、用紙サイズの表示を簡単な操作で変更することが可能となる。
【図面の簡単な説明】
【図１】情報表示部材の構成を例示した平面図。
【図２】図１の情報表示部材の底面図。
【図３】情報表示部材の折畳み態様を例示した斜視図。
【図４】図１の情報表示部材によって構成された情報表示体の斜視図。
【図５】図４のＡ−Ａ断面図。
【図６】図４のＢ−Ｂ断面図。
【図７】事務用機器の外観を示した斜視図。
【図８】ポケット部の構成と該ポケット部への情報表示体の挿入態様を示した斜視図。
【図９】情報表示部材の他の構成を示した平面図。
【図１０】図９の情報表示部材を折畳んだ状態を示す斜視図。
【図１１】情報表示部材の他の構成を示した平面図。
【図１２】情報表示部材の他の構成を示した平面図。
【図１３】情報表示部材の他の構成を示した平面図。
【図１４】情報表示部材の他の構成を示した平面図。
【図１５】情報表示部材の他の構成を示した平面図。
【図１６】情報表示部材の他の構成を示した平面図。
【図１７】図１の情報表示部材によって構成された情報表示体のポケット部への挿入態様を示した斜視図。
【図１８】情報表示部材の他の構成を示した平面図。
【図１９】情報表示部材の他の構成を示した平面図。
【図２０】情報表示部材の他の構成を示した平面図。
【図２１】情報表示部材の他の構成を示した平面図。
【図２２】図２１の情報表示部材によって構成された情報表示体のポケット部への挿入態様を示した斜視図。
【図２３】情報表示部材の他の構成を示した平面図。
【図２４】図２３の情報表示部材によって構成された情報表示体の斜視図。
【図２５】情報表示部材の他の構成を示した平面図。
【図２６】図２５の情報表示部材によって構成された情報表示体の斜視図。
【図２７】事務用機器の蓋部に設けたポケット部への情報表示体の挿入態様を示した斜視図。
【図２８】図２７の情報表示体を構成するための情報表示部材を示す平面図。
【図２９】ラベルを用いる従来の情報表示手法を示した斜視図。
【図３０】筒状の情報表示体を用いる従来の情報表示手法を示した斜視図。
【符号の説明】
１４１〜１４３、１５１〜１５４、１６１〜１６６  情報表示部
２０，２０′，２００  用紙トレー
１４５、１５６、１６８  情報表示体
２１  事務用機器(事務機器装置)
２２，２２′，２２０  ポケット部
２２ａ，２２ａ′，２２０ａ  表示窓
【図１】
0003661672.tif 000002
【図２】
0003661672.tif 000003
【図３】
0003661672.tif 000004
【図４】
0003661672.tif 000005
【図５】
0003661672.tif 000006
【図６】
0003661672.tif 000007
【図７】
0003661672.tif 000008
【図８】
0003661672.tif 000009
【図９】
0003661672.tif 000010
【図１０】
0003661672.tif 000011
【図１１】
0003661672.tif 000012
【図１２】
0003661672.tif 000013
【図１３】
0003661672.tif 000014
【図１４】
0003661672.tif 000015
【図１５】
0003661672.tif 000016
【図１６】
0003661672.tif 000017
【図１７】
0003661672.tif 000018
【図１８】
0003661672.tif 000019
【図１９】
0003661672.tif 000020
【図２０】
0003661672.tif 000021
【図２１】
0003661672.tif 000022
【図２２】
0003661672.tif 000023
【図２３】
0003661672.tif 000024
【図２４】
0003661672.tif 000025
【図２５】
0003661672.tif 000026
【図２６】
0003661672.tif 000027
【図２７】
0003661672.tif 000028
【図２８】
0003661672.tif 000029
【図２９】
0003661672.tif 000030
【図３０】
0003661672.tif 000031